【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
安全注射器であって、
その終端で開口部を有する胴部、
前記開口部から前記胴部内の物質を出すために前記胴部内に移動するように構成された注射器プランジャー、
前記注射器プランジャーに結合された安全プランジャーであって、これによって該安全プランジャーの内方ストロークが前記胴部内に前記注射器プランジャーを移動させる安全プランジャー、および
前記安全注射器の使用後に前記胴部の開口部を少なくとも部分的に覆うように構成されたシース、とを含み、
前記安全プランジャーは前記シースに結合され、内方ストローク上の点で前記安全プランジャーが注射器プランジャーと無関係に移動可能となるように前記注射器プランジャーから分断するように構成され、
前記安全プランジャーの分断後の更なる移動が、前記胴部の開口部をシースに少なくとも部分的に覆わせ、
前記安全注射器は更に、分断後に前記安全プランジャーの移動速度を制御するための速度制御手段を含み、前記速度制御手段は、前記安全プランジャーに結合され、前記注射器プランジャーと係合するように構成された速度制限部材を含み、前記速度制限部材は、第１のネジと、第２のネジを含む前記注射器プランジャーを備え、該第２のネジは分断の後に前記安全プランジャーの移動中の注射器プランジャーを回転させるために、前記第１のネジと係合するように構成されてなる、安全注射器。
【請求項２】
前記安全プランジャーは、その内方ストローク中に前記胴部の外部に沿って移動し、前記シースが、前記胴部の開口部を通る点で、或いはその点の前で注射器プランジャーから分断するように構成されてなる請求項１に記載の安全注射器。
【請求項３】
分断は前記注射器プランジャーが前記胴部の終端に実質的に達した点である、請求項１又は２に記載の安全注射器。
【請求項４】
前記安全プランジャーと前記注射器プランジャーを分断するように構成される分断機構をさらに含む、請求項１乃至３のいずれかに記載の安全注射器。
【請求項５】
前記分断機構は安全プランジャーに対する前記注射器プランジャーの回転下で前記安全プランジャーおよび注射器プランジャーを分断するように構成される、請求項４に記載の安全注射器。
【請求項６】
前記分断機構はその内方ストローク上の安全プランジャーに加えられた力を介して前記安全プランジャーと注射器プランジャーを分断するように構成される、請求項４または５に記載の安全プランジャー。
【請求項７】
前記分断機構は、前記安全プランジャーの結合凹部との係合及び解除の間に移動するように構成された注射器プランジャー上の突起を含む、請求項４乃至６のいずれかに記載の安全注射器。
【請求項８】
前記注射器プランジャーの突起は前記安全プランジャーに対する注射器プランジャーの回転による安全プランジャーの前記結合凹部から解放するように構成される、請求項７に記載の安全注射器。
【請求項９】
前記注射器プランジャーの本体は、プランジャーを回転させる反動表面と係合するように構成された回転表面を含み、前記反動表面は前記胴部に対して固定される、請求項８に記載の安全注射器。
【請求項１０】
前記胴部の開口部を少なくとも部分的に覆う位置でシースをロックするように構成されたロック機構をさらに含む、請求項１乃至９のいずれかに記載の安全注射器。
【請求項１１】
前記ロック機構は、前記安全プランジャーの突起およびリターン凹部を含み、前記突起は安全プランジャーの内部ストロークの終端でリターン凹部と係合するように構成される、請求項５乃至７のいずれかに従属する場合の、請求項１０に記載の安全注射器。
【請求項１２】
前記ロック機構は付勢されたロック機構であり、前記安全注射器は更に付勢部材を含んでおり、該付勢部材は注射器プランジャーの外方への移動および逆回転により突起をリターン凹部へ移動させる付勢力を提供するように構成される、請求項１１に記載の安全注射器。
【請求項１３】
前記付勢部材は弾力的に変形可能な注射器プランジャチップを含み、該注射器プランジャチップは、開口部を含む終端部近位の胴部の内表面を圧縮するように構成される、請求項１２に記載の安全注射器。
【請求項１４】
前記注射器プランジャーの全逆転を防ぐために前記リターン凹部の側方の範囲は結合凹部の側方の範囲未満である、請求項１２または１３に記載の安全注射器。
【請求項１５】
前記安全注射器は、実質的に長手方向のチャネルによって接続している結合凹部およびリターン凹部を含む、ロックチャネルを含み、前記ロックチャネルは付勢されたロック機構の作動中に突起をガイドするように構成される、請求項１２乃至１４のいずれかに記載の安全注射器。
【請求項１６】
前記突起は安全プランジャーの内方ストロークが終わってから実質的に長手方向のチャネルの終端と接触するように構成され、これによって、前記注射器プランジャーの弾力的に変形可能な先端を圧縮する、請求項１５に記載の安全注射器。
【請求項１７】
前記ロック機構は、ロック凹部に入るように構成された突起を含み、前記突起と前記ロック凹部のうちの一方は前記胴部および突起の他方に対して固定され、その結果、前記突起が前記ロック凹部内に位置づけられたとき、前記シースが前記胴部の開口部を少なくとも部分的に覆ってロックされるように、前記ロック凹部は前記安全プランジャーあるいは前記シースに位置づけられる、請求項１０乃至１６のいずれかに記載の安全注射器。
【請求項１８】
前記突起は、前記突起と前記ロック凹部の一致の際に前記ロック凹部に付勢されるように、前記突起が前記ロック凹部の方へ付勢されてなる請求項１７に記載の安全注射器。
【請求項１９】
少なくとも安全プランジャーの内方ストロークの一部の間で、前記突起は、前記突起と前記ロック凹部が一致するまで、表面上を乗るように構成され、前記ロック凹部への前記突起の付勢が内方ストローク中に前記安全プランジャーに摩擦力を付与する、請求項１８に記載の安全注射器。
【請求項２０】
前記突起は弾力的に変形可能な叉を含む、請求項１７乃至１９のいずれかに記載の安全注射器。
【請求項２１】
分断の前に前記注射器プランジャーの回転を妨げるように構成された回転阻止部材をさらに含む、請求項１乃至２０のいずれかに記載の安全注射器。
【請求項２２】
前記回転阻止部材は、前記注射器プランジャーが通過する隙間を含み、前記隙間は第１のキーの特徴を含み、該第１のキーの特徴は、前記注射器プランジャーの第２の特徴に対応させるように構成されてなる、請求項２１に記載の安全注射器。
【請求項２３】
前記注射器プランジャーは、前記第２のキーの特徴が前記第１のキーの特徴から解除して、前記安全プランジャーから前記注射器プランジャーを分断するように構成される、請求項２２に記載の安全注射器。
【請求項２４】
前記注射器プランジャーは前記注射器プランジャーが前記安全プランジャーから分断されるときに、前記隙間を完全に通過するように構成される、請求項２２に記載の安全注射器。
【請求項２５】
前記胴部内で弾力的に変形可能な栓をさらに含む、請求項１乃至２４のいずれかに記載の安全注射器。
【請求項２６】
前記弾力的に変形可能な栓は前記注射器プランジャーが回転するとき回転するように構成され、前記栓は前記胴部の内径より大きな直径を有し、これにより摩擦力が前記栓および前記注射器プランジャーの回転に抵抗する請求項２５に記載の安全注射器。
【請求項２７】
前記弾力的に変形可能な栓は弾力的に変形可能な前記栓と前記注射器プランジャーの間の相対回転を可能にするように構成され、前記注射器プランジャーと弾力的に変形可能な栓の間の摩擦力は、前記栓および前記注射器プランジャーの回転に抵抗する、請求項２５または２６に記載の安全注射器。
【請求項２８】
前記速度制御手段は、分断後に変形表面によって変形されるように構成された弾力的に変形可能な速度制御突起を含み、これによって、前記安全プランジャーの更なる移動に抵抗する摩擦力を生成する、請求項１乃至２７のいずれかに記載の安全注射器。
【請求項２９】
前記弾力的に変形可能な速度制御突起は、前記安全注射器の前後軸の方へ放射状に内方に突出し、前記変形表面は前記安全プランジャーに置かれ、前記安全注射器の前後軸から外側に離れて延びるタブを含む、請求項２８に記載の安全注射器。
【請求項３０】
前記安全プランジャーは前記注射器プランジャーのヘッド部を越えて延び、前記安全プランジャーのヘッド部は少なくとも１つのアームを含み、前記安全プランジャーのヘッド部は、前記安全プランジャーの内方ストロークを引き起こすためにユーザーによって力を加えるためのものである、請求項１乃至２９のいずれかに記載の安全注射器。
【請求項３１】
前記注射器プランジャーのヘッド部と前記安全プランジャーのヘッド部の間に位置づけられたガード部を更に含む、請求項３０に記載の安全注射器。
【請求項３２】
前記ガード部は、前記安全プランジャーのヘッド部と注射器プランジャーのヘッド部の間に伸びるロッドを含み、前記ロッドは前記安全プランジャーおよび前記注射器プランジャーの分断の後に前記注射器プランジャーに入るように構成される、請求項３１に記載の安全注射器。
【請求項３３】
前記胴部の開口部に接続された皮下注射針をさらに含み、前記シースは前記注射器の使用後に前記皮下注射針を少なくとも部分的に覆うように構成される、請求項１乃至３２のいずれかに記載の安全注射器。
【請求項３４】
注射器と共に使用するための安全注射器装置であって、
前記注射器は、その終端で開口部を有する胴部と、該開口部から該胴部内の物質を出すために該胴部内に移動するように構成された注射器プランジャーを含み、
前記安全注射器装置は、
前記注射器プランジャーに結合されるように構成された安全プランジャーであって、
これによって安全プランジャーの内部ストロークが注射器プランジャーを胴部内に移動させる安全プランジャー、および
注射器の使用の後に胴部の開口部を少なくとも部分的に覆うように構成されたシースと、を含み、
前記安全プランジャーはシースに結合され、内方ストローク上の点で注射器プランジャーから分断するように構成され、これによって前記安全プランジャーが注射器プランジャーと無関係に移動可能であり、
前記安全プランジャーは、分断後の安全プランジャーの更なる移動により、シースが胴部の開口部を少なくとも部分的に覆うように構成され、前記安全プランジャーは、速度制限部材をさらに含み、該速度制限部材は分断の後に前記安全プランジャーの移動速度を制御するための速度制御手段の一部を形成し、前記速度制限部材は、分断の後に注射器プランジャーと係合するように構成され、分断の後に前記安全プランジャーの更なる移動中の注射器プランジャーを回転させるために、前記注射器プランジャー上で、第２のねじと係合するように構成された第１のねじを含む、注射器と共に使用するための安全注射器装置。
【請求項３５】
部品のキットであって、
安全プランジャーの内方ストロークが胴部内に該注射器プランジャーを移動させるように、注射器の注射器プランジャーに結合されるように構成された安全プランジャー、及び、
注射器の使用の後に前記注射器の胴部の開口部を少なくとも部分的に覆うように構成されたシース、を含み、
前記安全プランジャーはシースに結合されるように構成され、内方ストローク上の点で前記安全プランジャーが注射器プランジャーと無関係に移動可能なように前記注射器プランジャーから分断するように構成され、分断後に、前記安全プランジャーの更なる移動によって、前記シースが胴部の開口部を少なくとも部分的に覆い、前記安全プランジャーは、分断後に前記安全プランジャーの移動速度を制御するために速度制御手段の一部を形成する速度制限部材をさらに含み、
前記速度制限部材は、分断後に注射器プランジャーと係合するように構成され、分断後に前記安全プランジャーの更なる移動で注射器プランジャーを回転させるために、注射器プランジャーの第２のネジと係合するように構成された第１のネジを備えてなる、部品のキット。
【請求項３６】
前記胴部に結合され、かつ前記安全プランジャーを受け入れるように構成された取手部をさらに含み、これによって安全プランジャーが取手部を通過することができる、請求項３５に記載の部品のキット。
【請求項３７】
さらに注射器を含む、請求項３５または３６のいずれかに記載の部品のキット。